(57)【特許請求の範囲】
【請求項１】
バッテリーパック（１７）か外部電源により回転するモーター（１）および減速機（２）に軸継手（３）を介して雄ねじスクリュー（４）を連動させ、該雄ねじスクリュー（４）に雌ねじ付き直動アーム（５）を先端マイクロスイッチ（１３）と後端マイクロスイッチ（１４）の間を自在に往復運動可能に装着し、該雌ねじ付き直動アーム（５）の先端にプッシュロッド（６）を装着して注射器ホルダー（ｂ）で把持された注射器（ａ）のプランジャー（７）を押して注射器（ａ）のシリンジ（８）に収容された液体を押し出すが、この際、シリンジ（８）内に液体が残留するのを防止するため、プランジャー（７）がシリンジ（８）の最先端に到達しただけでは先端マイクロスイッチ（１３）が作動しないように設定されており、メインスイッチ（１０）を切らなければプッシュロッド（６）がプランジャー（７）の押動を継続することから、注射器（ａ）と注射器ホルダー（ｂ）に過剰な圧力がかかることによる破損を防止するため、プッシュロッド（６）に加圧吸収用押しばね（２３）を備え、雌ねじ付き直動アーム（５）の先端に装備されているプッシュロッドガイド（２０）との間で過剰な圧力を吸収しながらプッシュロッドガイド（２０）内をプッシュロッド（６）が、プッシュロッドガイド（２０）内を摺動してプッシュロッドガイド（２０）に対して相対的に後退し、プッシュロッドガイド（２０）が前進して、その後、メインスイッチ（１０）を後方に引いてプッシュロッド（６）を後退させるが、シリンジ（８）内に体内からの液体を吸い込んだり空気を混入させたりする事故防止のため、プッシュロッド（６）とプランジャー（７）を常時係留せず、また、液体が入っている容器からシリンジ（８）内に液体を吸入して収容する場合は、係留用アタッチメント（２５）を使用することとし、さらに、注射器ホルダー（ｂ）は本体ケース（９）を手に持った使用者から見て手前側の前方に装備したことにより、従来の注射位置と同じ感覚で注射でき、注射器（ａ）や注射針（２４）と液体の状況を目視できるようにするとともに、注射器ホルダー（ｂ）は目玉クリップ様で受板（２７）と上板（２８）との間でばねの力でシリンジ（８）が固定され把持されることから太さや長さ、プランジャー（７）のストロークが異なる既存の注射器を使用することができ、粘度の高い液体でも注射する人のプランジャーを押す行為を無くし、肉体的労力と精神的ストレスを解消するとともに、一定速度で速やかに注射することにより、注射される人の身体的精神的苦痛も緩和することを特徴とする電動注射器補助具。
【発明の詳細な説明】
【技術分野】
【０００１】  本発明は、注射器内の液体を電動で押し出すための補助具に関するもので、特に関節用潤滑剤や液状栄養剤のような粘度の高い液体を注射する場合に用いる電動注射器補助具に関する。
【背景技術】
【０００２】  一般に注射器により液体を注射する場合、液体を収容したシリンジに対しプランジャーを手や指で押し込むことにより行うが、そのプランジャーを押し込む際には、特に、液体が粘度の高い場合や針先が細い場合などにあってはプランジャーを押す手や指に大きな力を必要とするため、手や指にかかる負担が大きく、指力の弱い女性や高齢の注射をする人の中には腱鞘炎になる人すらいるという問題がある。また、液体を押し出す速度にむらが出来たり長時間を要したりすることによって、注射する人が肉体的労力と精神的ストレスを感じるとともに、注射される人にも痛さと不安など身体的精神的苦痛を与えることとなっている。【０００３】  そこで、各種の注射器補助具が提案されている。特許文献１に開示されているように、ゴムやバネを使用した手動式の補助具もあるが、ゴムやバネの力が弱いと液体を押し出すことが出来ないし、押し出すのに十分な強さを確保すると補助具を装着するために強い力を要したり、補助具の作動を一時停止したり解除したりする装置がなければ、補助具を装着した時点から液体が漏出してしまう。特許文献２では注射器と液体を押し出すためのロッドなどの押動手段が直線的に配置されるため、補助具全体が大型となる。また、液体を押し出すための操作レバーを操作するたびに注射器に揺れが生じることから、注射される人の身体に注射針を挿入した状態では大きな苦痛を与えることになる。特許文献３でも注射器と液体を押し出すための親ネジなどのピストンを駆動する装置が直線的に配置されるため、注射装置全体が大型となる。また、特許文献２および特許文献３も操作レバーと注射器および注射針と注射をする人の目線の距離が遠いため、注射の状況を目前で確認しながら操作することが難しい。さらに、特許文献３では液体を押し出すために注射器のピストンに連結された親ネジが注射器内を揺動するための、専用の注射器を必要とする。したがって、本発明とは技術的および使用方法に大きな違いがある。
【先行技術文献】
【特許文献】
【０００４】
【特許文献１】特開２０１１−１７７４３７
【特許文献２】特開２００４−３１３７４８
【特許文献３】特開平６−７４４０
【発明の概要】
【発明が解決しようとする課題】
【０００５】  本発明は、上記事情に鑑みてなされたもので、その目的は、粘度の高い液体を注射する人の注射器のプランジャーを押す行為を無くすことにより肉体的労力と精神的ストレスを解消するとともに、一定速度で速やかに注射することにより注射される人の身体的精神的苦痛も緩和するために、既存の注射器を使用し小形軽量かつ安価で簡易な電動注射器補助具を提供することにある。
【課題を解決するための手段】
【０００６】  課題を解決するために本発明は以下の構成とした。モーター（１）および減速機（２）に軸継手（３）を介して雄ねじスクリュー（４）を連動させ、該雄ねじスクリュー（４）に雌ねじ付き直動アーム（５）を自在に往復運動可能に装着し、該雌ねじ付き直動アーム（５）の先端にプッシュロッド（６）を装着して注射器ホルダー（ｂ）で把持された注射器（ａ）のプランジャー（７）を押して注射器（ａ）のシリンジ（８）に収容された液体を押し出すことにより、粘度の高い液体でも注射する人のプランジャーを押す行為を無くし、肉体的労力と精神的ストレスを解消するとともに、一定速度で速やかに注射することにより、注射される人の身体的精神的苦痛も緩和することを特徴とする電動注射器補助具。
【発明の効果】
【０００７】  直流のモーターおよび減速機と軸継手を介して連動された雄ねじスクリューの回転駆動部と注射器のプランジャーを押動する雌ねじ付き直動アームおよびプッシュロッドなどの押動部ならびに注射器を並列に配置したこと、また、電源はバッテリーパックを装着して使用することとし、充電器を装備しなくても良いため、小形軽量で安価に製作できるとともに、操作も単純である事から取扱も簡易である。また、手元近くで注射器のプランジャーの押動状況や注射器および注射針と液体の押し出し状態を目視することが出来るため、従来の注射感覚で注射ができ、安全安心である。さらに、小形で軽量のため、手中に携帯し電動で既存の注射器のプランジャーを押動することが出来ることから、注射する人は電動スイッチを操作するだけで直接注射器のプランジャーを押動する必要がなくなるため、粘度の高い液体でも容易に押し出すことができ、注射する人のピストンを押す行為を無くし、肉体的労力と精神的ストレスを解消するとともに、一定速度で速やかに注射することができるため、注射される人の身体的精神的苦痛も緩和することができる。さらに、既存の注射器をそのまま使用できることから経済的でもある。
【図面の簡単な説明】
【０００８】
【図１】  本発明の実施形態を示す電動注射器補助具の斜視図。
【図２】  同正面断面図。
【図３】  同右側面図。
【図４】  同係留アタッチメントの斜視図。
【図５】  同使用例図。
【発明を実施するための形態】
【０００９】  以下、図１から図５に基づいて本発明の実施の形態を詳細に説明する。図１は、本発明に注射器を装着した状態の斜視図。図２は、注射器を装着した正面断面図。図３は、注射器を装着した右側面図。図４は係留アタッチメントの斜視図。図５は、注射器を装着した使用例図。
【００１０】  図１の（９）は筒状の本体ケースで、モーター（１）および減速機（２）を収納し、外周にはメインスイッチ（１０）と注射器ホルダー（ｂ）を装備しており、上面中央部にはモーター（１）および減速機（２）に軸継手（３）を介して連動している雄ねじスクリュー（４）を覆う円筒状のスクリューカバー（１１）が装着されている。
【００１１】  スクリューカバー（１１）の後端には、雄ねじスクリュー（４）を円滑に回動させるためのベアリング（１２）と上面モーター（１）側前方には先端マイクロスイッチ（１３）、後方には後端マイクロスイッチ（１４）がマイクロスイッチカバー（１５）内に装備されている。さらに、スクリューカバー（１１）とマイクロスイッチカバー（１５）の裏面上部にはバッテリーパックケース（１６）が装着され、バッテリーパック（１７）が収納されている。バッテリーパック（１７）はバッテリーパックケース（１６）から、取り外して繰り返し充電して使用できる。（１８）はスクリューカバー（１１）のキャップである。また、スクリューカバー（１１）の正面には雌ねじ付き直動アーム（５）の往復動を正確に誘導するための縦溝（１９）が設けられている。
【００１２】  雌ねじ付き直動アーム（５）の先端にはプッシュロッドガイド（２０）に保持されたプッシュロッド（６）とプッシュロッド（６）の先端には注射器（ａ）のプランジャーフランジ（２１）と接して直接押動する押し円板（２２）が装着されている。押し円板（２２）は円形の平坦な板で注射器（ａ）のプランジャーフランジ（２１）がプッシュロッド（６）の中心を外れても常に均一に押動するために作用する。
【００１３】  プッシュロッド（６）の後部には雌ねじ付き直動アーム（５）の先端に装備されているプッシュロッドガイド（２０）との間に過圧吸収用押しばね（２３）が装着されている。これは、先端マイクロスイッチ（１３）は注射器（ａ）のシリンジ（８）内に液体が残留するのを防止するために、注射器（ａ）のプランジャー（７）がシリンジ（８）の最先端に到達しただけでは作動しないように設定されている。このため、プランジャー（７）がシリンジ（８）の最先端に到達してもメインスイッチ（１０）を切らなければ、モーター（１）は回転を継続してプッシュロッド（６）も押動を継続するため、注射器（ａ）と注射器（ａ）を把持している注射器ホルダー（ｂ）に過剰な圧力がかかり、破損する恐れがあることから、これを防止するために過剰な圧力を吸収するためである。したがって、プッシュロッド（６）が受ける過剰な圧力は加圧吸収用押しばね（２３）が吸収しながら、プッシュロッド（６）はプッシュロッドガイド（２０）内を摺動して後退する。しかし、雌ねじ付き直動アーム（５）は前進を継続しているため、やがて先端マイクロスイッチ（１３）に到達し、先端マイクロスイッチ（１３）が作動してモーター（１）の回転を停止する。なお、注射器（ａ）を装着しない状態でプッシュロッド（６）を注射器（ａ）方向に作動させた場合は、プッシュロッド（６）が注射器（ａ）によって圧力を受けることがないので先端マイクロスイッチ（１３）も作動し、モーター（１）も回転を停止する。
【００１４】  プッシュロッド（６）および押し円板（２２）は、通常、プランジャーフランジ（２１）の前方向のみに押動するように設定されている。したがって、モーター（１）を逆転させてプッシュロッド（６）を後退させると、プッシュロッド（６）先端の押し円板（２２）はプランジャーフランジ（２１）から離れるため、プランジャー（７）は静止状態となる。プッシュロッド（６）および押し円板（２２）とプランジャーフランジ（２１）およびプランジャー（７）を常時係留しないのは、注射される人の体内に注射針（２４）を挿入した注射の過程や液体を全て押し出した後にモーター（１）を逆回転させてプッシュロッド（６）を後退させた場合、同時に注射器（ａ）のプランジャー（７）も後退させることにより、注射される人の体内から液体を吸い込んだり空気を混入させたりするなどによる事故を防止するためである。なお、液体が入っている容器から注射器（ａ）のシリンジ（８）内に液体を吸入して収容する場合は、係留用アタッチメント（２５）を装着して、プッシュロッド（６）の押し円板（２２）とプランジャーフランジ（２１）を挟んで固定し、モーター（１）を逆回転させることにより可能である。
【００１５】  本体ケース（９）表面後方には、バッテリーパック（１７）の充電忘れなどにより電源が消耗してしまった場合や、交流１００Ｖ電源が容易に入手可能な環境であってコード付きでの使用の方が有効な場合のために、交流１００Ｖからアダプターによって直流電源に変換された外部電源を入力するための外部電源入力ソケット（２６）が装備されている。
【００１６】  本体ケース（９）の正面前方でプッシュロッド（６）と直線上の位置には、注射器ホルダー（ｂ）が装備されている。注射器ホルダー（ｂ）は、目玉クリップ様で本体ケース（９）の外周に固定されていて、注射器（ａ）のシリンジ（８）の外周の形状に沿うように湾曲した受板（２７）と、シリンジ（８）を上部から挟むとともに一端がレバー状に長くなって一体化している上板（２８）が、ばねで開閉可能に装着されている。このため、注射器（ａ）は受板（２７）と上板（２８）との間でばねの力で固定され把持される。
レバー状の上板（２８）はメインスイッチ（１０）を操作する手の位置で操作できるように装着されているため、注射器を着脱したりメインスイッチを操作するたびに本体ケース（９）を持ち替えたり持ち手をずらしたりしなくても良い。
【００１７】  注射器ホルダー（ｂ）の装着位置は、極力、従来の注射位置と同じ感覚で注射できるように、また、注射される人の状態の確認をするための視界を妨げることなく、かつ、注射器（ａ）や注射針（２４）と液体の状況を目視できるように、さらに、注射される人に補助具の使用による恐怖心を与えないようにするため、注射される人から遠ざけるように配置されている。そのため、本体ケース（９）を持った手中とほぼ同位置の本体ケース（９）の手前の前方に装着されている。このため、注射器ホルダー（ｂ）に注射器（ａ）を装着すると、注射針（２４）とシリンジ（８）の前部が本体ケース（９）よりも前方に突出して把持され、プランジャー（７）とプッシュロッド（６）が本体ケース（９）およびスクリューカバー（１１）と並行して配置されている。
【００１８】  注射器（ａ）は、液体を収容するシリンジ（８）およびフィンガーフランジ（２９）とシリンジ（８）内を押動して液体を押し出すプランジャー（７）とプッシュロッド（６）の押し円板（２２）が直接押動するプランジャーフランジ（２１）と、シリンジ（８）の先端には注射針（２４）から構成されている。フィンガーフランジ（２９）は、注射器ホルダー（ｂ）に当接して、プッシュロッド（６）の押動する力により注射器ホルダー（ｂ）よりも前方に抜け落ちるのを阻止する。
【００１９】  メインスイッチ（１０）は、通常、バッテリーパック（１７）からモーター（１）への電源の入り切りと同時に正負極の変換が行えるもので、中立の位置から前方に押すとモーター（１）が正転して雌ねじ付き直動アーム（５）およびプッシュロッド（６）および押し円板（２２）が注射器（ａ）のプランジャーフランジ（２１）およびプランジャー（７）を前方に押動してシリンジ（８）内の液体を押し出す。メインスイッチ（１０）は押すのを止めると自動的に中立に戻りモーター（１）の回転も停止する。さらに、メインスイッチ（１０）を後方に引くとモーター（１）が逆転し、雌ねじ付き直動アーム（５）およびプッシュロッド（６）と押し円板（２２）が後退してプランジャー（７）のプランジャーフランジ（２１）から離れて押動を止める。メインスイッチ（１０）を引くのを止めると中立に戻る。メインスイッチ（１０）を後方に引き続けると、モーター（１）の逆転とともに雌ねじ付き直動アーム（５）とプッシュロッド（６）も後退を続け、やがて、後端マイクロスイッチ（１４）が作動してモーター（１）の回転が停止する。
【００２０】  次に、実施例について説明する。
本発明の電動注射器補助具に、液体を収容した注射器を予め装着した状態で、注射される人の身体に注射針を挿入し、電動注射器補助具を操作して液体を押し出しても良い。または、注射する人が注射される人の適所に的確に注射針を挿入するためには微妙な調整が必要なため、まず、最初に従来どおり注射する人が注射器を手に持ち、注射される人の適所に注射針を挿入する。
【００２１】  その後、片手は注射器を保持したまま、他方の手で予め注射器のプランジャーが装着するのに十分な間隔までプッシュロッドを後退させておいた電動注射器補助具を持ち、注射器ホルダーに注射器を装着して把持してから、電動注射器補助具のスイッチを前方に押すとモーターおよび減速機に連動された雄ねじスクリューが正回転し、装備されている雌ねじ付き直動アームとアームに装着されているプッシュロッドが注射器方向に揺動し、プッシュロッド先端の押し円板が注射器のプランジャーフランジに到達すると、プランジャーを押動して注射器のシリンジ内の液体が注射針をとおして注射される人の身体に押し出される。注射は、注射される人の状態や注射器および液体の状況を見ながら、電動注射器補助具の駆動と停止を操作して行う。
【００２２】  注射する人は、電動注射器補助具のプッシュロッドが押動を続けて注射器のプランジャーが最先端に到着して液体が全て押し出されたのを確認したら、通常はメインスイッチを押すのを止めてモーターの回転も停止させる。しかし、メインスイッチを押すのを止めなければプッシュロッドがプランジャーを押し続けるため、プッシュロッドがプッシュロッドガイド内を摺動しながら後退すると同時にプッシュロッドとプッシュロッドガイドとの間に装備されている過圧吸収用押しばねが収縮して過剰な圧力を吸収する。その後にも、スイッチを前方に押したままの場合はモーターが回転を続け、雌ねじ付き直動アームは前進を継続しているのでやがてマイクロスイッチに接触して電源が切断され、モーターの停止とともにプッシュロッドの押動と注射器のプランジャーフランジおよびプランジャーの加圧は停止される。
【００２３】  次に、注射する人が注射されている人の身体から注射針を抜く場合は、電動注射器補助具とともに注射針を抜くか、または、電動注射器補助具で注射器を前方に押したままでメインスイッチを止めても注射器はプッシュロッドに強く押されたままで注射器ホルダーに固着しているため注射器を取り外すことは出来ないので、電動注射器補助具のメインスイッチを後方に引いてモーターを逆転させ、連動している雌ねじ付き直動アームおよびプッシュロッドを少し後退させることにより、プッシュロッドとプランジャーの加圧密着状態を解除して、注射器への加圧を解放した後に、注射器ホルダーのレバーを操作して電動注射器補助具を取り外してから注射針を注射された人の身体から抜いても良い。
【００２４】  注射器は、注射器ホルダーの把持可能な範囲で太さや長さ、プランジャーのストロークが変わっても使用することが出来るとともに、注射器の注射針の替わりにチューブなどを装着して液体を押し出す場合でも同様に使用することが出来る。
【符号の説明】
【００２４】  ａ    注射器
ｂ    注射器ホルダー
１    モーター
２    減速機
３    軸継手
４    雄ねじスクリュー
５    雌ねじ付き直動アーム
６    プッシュロッド
７    プランジャー
８    シリンダー
９    本体ケース
１０    メインスイッチ
１１    スクリューカバー
１２    ベアリング
１３    先端マイクロスイッチ
１４    後端マイクロスイッチ
１５    マイクロスイッチカバー
１６    バッテリーパックケース
１７    バッテリーパック
１８    キャップ
１９    縱溝
２０    プッシュロッドガイド
２１    プランジャーフランジ
２２    押し円板
２３    加圧吸収用押しばね
２４    注射針
２５    係留用アタッチメント
２６    外部電源入力ソケット
２７    受板
２８    上板
２９    フィンガーフランジ
【要約】      （修正有）【課題】粘度の高い液体を注射する人の肉体的労力と精神的ストレスを解消するとともに、注射される人の身体的精神的苦痛も緩和することが可能な、小形軽量かつ安価で簡易な電動注射器補助具を提供する。【解決手段】モーター（１）および減速機（２）に軸継手（３）を介して雄ねじスクリュー（４）を連動させ、該雄ねじスクリュー（４）に雌ねじ付き直動アーム（５）を自在に往復運動可能に装着し、該雌ねじ付き直動アーム（５）の先端にプッシュロッド（６）を装着して注射器ホルダー（ｂ）で把持された注射器（ａ）のプランジャー（７）を押して注射器（ａ）のシリンジ（８）に収容された液体を押し出すことにより、粘度の高い液体でも注射する人のプランジャーを押す行為を無くし、肉体的労力と精神的ストレスを解消するとともに、一定速度で速やかに注射することにより、注射される人の身体的精神的苦痛も緩和することを特徴とする電動注射器補助具。【選択図】図２【図１】
0006789463.tif 000002
【図２】
0006789463.tif 000003
【図３】
0006789463.tif 000004
【図４】
0006789463.tif 000005
【図５】
0006789463.tif 000006